(57)【要約】【課題】ボールを転がす方向を正確にコントロールすることができるヘッド及びこれを具えたパターを提供すること。【解決手段】パター１０は、ヘッド１２の重心Ｇを通る第一ホーゼル部２２、フェイス面１４と直交しヘッド１２の重心Ｇを通る線Ｙと同方向に延びている第二ホーゼル部２４、及び軸心の延長線Ｘが、フェイス面１４と直交しヘッド１２の重心Ｇを通る線Ｙ上の、フェイス面１４からボールＢの半径ｒと同一の間隔をあけた点Ｃと交わるように、第二ホーゼル部２４の延出部２５に連結部材２７を介して連結されているソケット部２６を具えているから、打撃時に、フェイス面と直交し、ヘッドの重心を通る線の方向とボールの中心を一致させ易く、ボールを転がす方向を正確にコントロールすることができる。【選択図】図１
2018108313.tif 000002
【特許請求の範囲】
【請求項１】
上辺と底辺を有する、ゴルフボールを打つためのフェイス面を具えたヘッドと、
前記ヘッドの前記フェイス面の反対側に、前記ヘッドの重心を通るように取付けられ、前記底辺から上辺に向けて延びている第一ホーゼル部と、
前記第一ホーゼル部に連結され、前記フェイス面と直交し前記重心を通る線と同方向に延び、前記フェイス面側であって、前記底辺から前記ゴルフボールの直径より高い位置に延出している延出部を有する第二ホーゼル部と、
前記延出部に連結され、軸心の延長線が、前記線上の、前記フェイス面から前記ゴルフボールの半径と同一の間隔をあけた位置と交わるソケット部を具えたことを特徴とする、
パターヘッド。
【請求項２】
前記重心が前記底辺から前記ゴルフボールの半径と同一の間隔をあけて位置している、請求項１のパターヘッド。
【請求項３】
前記ソケット部が前記第二ホーゼル部に対し傾斜している、請求項１又は２のパターヘッド。
【請求項４】
前記第一ホーゼル部が、前記線と同方向に延びる第三ホーゼル部を介して、前記ヘッドに連結され、
前記第三ホーゼル部の前記ヘッドに対する取付角が可変である、請求項１から３のいずれかのパターヘッド。
【請求項５】
前記第一ホーゼル部が、前記線と同方向に延びる第三ホーゼル部を介して、前記ヘッドに連結され、
前記第二ホーゼル部の前記第三ホーゼル部に対する取付角が可変である、請求項１から３のいずれかのパターヘッド。
【請求項６】
請求項１から５のいずれかの前記ソケット部に、該ソケット部の軸心と軸心が一致するシャフトが取付けられている、パター。
【発明の詳細な説明】
【技術分野】
【０００１】
本発明は、ゴルフ用のパターヘッド（以下、単に、「ヘッド」ということもある。）と、ヘッドにシャフトが取付けられたパターに関する。
【背景技術】
【０００２】
ゴルフ用パターは、これまでに様々なタイプのものが開発されてきており、主たる開発方針は、ゴルフボール（以下、単に、「ボール」ということもある。）を転がす方向を正確にコントロールすることができるパターを実現することにある。その中には、ヘッドとシャフトの連結構造に改良を施したものもあり、例えば、以下に示すものが考案されている。
【先行技術文献】
【特許文献】
【０００３】
【特許文献１】特開平９−３８２４７号公報
【特許文献２】特開２００２―２２４２５２号公報
【０００４】
特許文献１には、ヘッドの端部にホーゼルが取付けられており、ホーゼルの端部に設けられ、シャフトが挿入されるソケット部の中心がボールを打撃する面であるフェイス面よりもゴルフボールの直径の１／２の距離突出しているゴルフ用パターが開示されている。
【０００５】
特許文献２には、ヘッドの重心位置に、ヘッドの反フェイス面からシャフトの先端を折曲して接続したゴルフ用パターが開示されている。
【発明の概要】
【発明が解決しようとする課題】
【０００６】
特許文献１のゴルフ用パターの場合、ホーゼルがヘッドの一端に取付けられる構成であるため、ボールを打撃するとき、ヘッドの重心を通るフェイス面との直交方向がボールの中心からずれる可能性があり、或いは、フェイス面がシャフトの周方向に傾き、使用者の意に反する方向にボールが転がってしまう場合がある。
【０００７】
特許文献２のゴルフ用パターの場合、反フェイス面側に連結されるシャフトの水平方向の直線部の延長上に目標を捕えることが出来るとされているが、使用者は、ボールを打撃するとき、シャフトの水平方向の直線部の延長上を想定しながら、当該延長上にボールの中心が一致するようにゴルフ用パターを振らなければならないので、特許文献１のゴルフ用パターと同様に、ヘッドの重心を通るフェイス面との直交方向がボールの中心からずれてしまう可能性が依然としてある。
【０００８】
そこで、本発明は、前述した事情に鑑み、打撃時に、フェイス面と直交し、ヘッドの重心を通る線の方向とボールの中心を一致させ易く、ボールを転がす方向を正確にコントロールすることができるヘッド及びこれを具えたパターを提供することをその目的とする。
【課題を解決するための手段】
【０００９】
本発明は、上辺と底辺を有する、ゴルフボールを打つためのフェイス面を具えたヘッドと、
前記ヘッドの前記フェイス面の反対側に、前記ヘッドの重心を通るように取付けられ、前記底辺から上辺に向けて延びている第一ホーゼル部と、
前記第一ホーゼル部に連結され、前記フェイス面と直交し前記重心を通る線と同方向に延び、前記フェイス面側であって、前記底辺から前記ゴルフボールの直径より高い位置に延出している延出部を有する第二ホーゼル部と、
前記延出部に連結され、軸心の延長線が、前記線上の、前記フェイス面から前記ゴルフボールの半径と同一の間隔をあけた位置と交わるソケット部を具えたことを特徴とするパターヘッド、
又は、
当該パターヘッドのソケット部にシャフトが取付けられているパターによって前記課題を解決した。
【発明の効果】
【００１０】
本発明によれば、まず、第一ホーゼル部が、ヘッドに対し、フェイス面の反対側であって、ヘッドの重心を通るように取付けられているので、当該ヘッドを具えるパターを振ったとき、使用者の意に反してフェイス面がシャフトの周方向に傾き難い。また、フェイス面と直交し、ヘッドの重心を通る線と同方向に延び、フェイス面側であって、底辺からゴルフボールの直径より高い位置に延出している延出部を有する第二ホーゼル部を具えるから、ボールがフェイス面に当たる時まで、第二ホーゼル部をボールと重ならせることができるので、使用者は、ボールをフェイス面で打つ瞬間まで、第二ホーゼル部が延びる方向をボールが転がる方向として把握することができる。また、シャフトが連結されるソケット部が、第二ホーゼル部の延出部に連結され、その軸心線が、フェイス面との直交し、ヘッドの重心を通る線上の、フェイス面からゴルフボールの半径と同一の間隔をあけた点と交わるので、第二ホーゼル部とボールを重ね、且つ、シャフトの延長線上にボールを重ねることにより、ボールを転がしたい方向に向けて、ヘッドの重心とボールの中心の位置を容易に合わせることができる。よって、打撃時にボールの中心とヘッドの重心の位置を一致させ易く、且つ、ボールを転がす方向を正確にコントロールすることができるヘッド及びパターとすることができる。
【００１１】
また、ヘッドの重心が、ヘッドの底辺よりゴルフボールの半径と同一の間隔をあけて位置している構成とすれば、打撃時にヘッドの重心とボールの中心の垂直方向の位置を合わせ易いので好適である。
【００１２】
また、ソケット部が第二ホーゼル部に対し傾斜している構成とすれば、使用者は、第二ホーゼル部の延伸方向とソケット部の軸心の延長線という角度の異なる２つの線を想定することができるから、ヘッドの重心とボールの中心の位置をより合わせ易くすることができる。
【００１３】
また、第一ホーゼル部が、フェイス面と直交し、ヘッドの重心を通る線と同方向に延びる第三ホーゼル部を介して、ヘッドに連結され、第三ホーゼル部のヘッドに対する取付角が可変であるか、第二ホーゼル部の第三ホーゼル部に対する取付角が可変である構成とすれば、使用者は、任意に、ソケット部の方向、すなわち、シャフトの最適な角度を決定することができる。
【図面の簡単な説明】
【００１４】
【図１】本発明の第一実施形態のパターヘッドを具えたパターの背面図。
【図２】図１の２−２線断面図。
【図３】本発明の第二実施形態のパターヘッドを具えたパターの縦断面図。
【図４】本発明の第三実施形態のパターヘッドを具えたパターの斜視図。
【図５】本発明の第四実施形態のパターヘッドを具えたパターの背面図。
【発明を実施するための形態】
【００１５】
本発明の実施例を図１〜５を参照して説明する。但し、本発明はこの実施形態に限定されるものではない。
【００１６】
図１は、本発明のパターヘッド１２を有するパター１０を示している。パター１０は、主に、ヘッド１２、ホーゼル２０、シャフト３２から構成されている。なお、図示は省略するが、シャフト３２にはグリップが取付けられる。ヘッド１２は、ゴルフボールＢを打つための、上辺１６と底辺１８を有するフェイス面１４（図２参照）を具えている。上辺１６から底辺１８までの寸法やフェイス面１４の形状は任意に決定される。また、図示しているヘッド１２は、ピンタイプのもので、両端にウェイト１３を具えているが、本発明は、キャッシング型やブレード型等、他の型のヘッドにも適用することができる。
【００１７】
パター１０の場合、ヘッド１２とシャフト３２を連結するホーゼル２０は、第一ホーゼル部２２、第二ホーゼル部２４、ソケット部２６、及び第二ホーゼル部２４とソケット部２６の間に介在している連結部材２７から構成されている。第一ホーゼル部２２は、底辺１８から上辺１６に向けて延びるように、詳細には、底辺１８を接地させたときに垂直方向に延びるように、ヘッド１２のフェイス面１４（図２参照）の反対側に取付けられている。また、第一ホーゼル部２２は、図１，２に示すように、ヘッド１２の重心Ｇを通るように構成されている。本構成により、パター１０を振ったとき、使用者の意に反してフェイス面１４がシャフト３２の周方向に傾くことを防止することができる。なお、第一ホーゼル部２２の中心が、フェイス面１４と直交しヘッド１２の重心Ｇを通る線Ｙの垂直面（図１の２−２線と一致する面）に位置するように構成することで、一層、フェイス面１４のシャフト３２の周方向に対する傾きを防止することができる。
【００１８】
第二ホーゼル部２４は、第一ホーゼル部２２の上端に取付けられており、図２に示すように、フェイス面１４と直交しヘッド１２の重心Ｇを通る線Ｙと同方向に延びている。なお、フェイス面１４に僅かな傾斜（ロフト）を設けている場合は、設置面に対して垂直なフェイス面１４を想定して、線Ｙを定めればよい。また、第二ホーゼル部２４は、フェイス面１４側、すなわち、フェイス面１４に対して第一ホーゼル部２２が存する側の反対側であって、底辺１８からゴルフボールＢの直径（ゴルフボールの規格によるが、図中では、２ｒに相当。）より高い位置に延出している延出部２５を具える。これにより、パター１０の使用者は、フェイス面１４にボールＢが当たる時まで、第二ホーゼル部２４をボールＢと重ならせることができるので、ボールＢをフェイス面１４で打つ瞬間まで、第二ホーゼル部２４が延びる方向をボールＢが転がる方向として把握することができる。また、図示しているように、第一ホーゼル部２２がヘッド１４の上辺１６よりも突出している突出部２３を具え、第二ホーゼル部２４が、突出部２３の底辺１８からゴルフボールＢの直径より高い位置に水平となるように連結されている構成とすれば、第二ホーゼル部２４とボールＢとの干渉を確実に防ぐことができる。他方、第二ホーゼル部２４の上面を視認し易い塗料で塗ることもできる。
【００１９】
ソケット部２６は、ソケット部２６の軸心の延長線Ｘが、フェイス面１４と直交しヘッド１２の重心Ｇを通る線Ｙ上の、フェイス面１４からボールＢの半径ｒと同一の間隔をあけた点Ｃと交わるように、第二ホーゼル部２４の延出部２５に連結部材２７を介して連結されている（図１も参照。）。また、ソケット部２６の軸心とシャフト３２の軸心は一致するように構成されているので、第二ホーゼル部２４とボールＢを重ね、且つ、シャフト３２の延長線上にボールＢを重ねることにより、ボールＢを転がしたい方向に向けて、ヘッド１２の重心ＧとボールＢの中心の位置（Ｃと同位置）を容易に合わせることができる。
【００２０】
図示しているように、ヘッド１２の重心Ｇは、ヘッド１２の底辺１８よりゴルフボールＢの半径ｒと同一の間隔をあけて位置している構成とするのがよい。本構成によれば、パター１０でボールＢを打撃した時にヘッド１２の重心ＧとボールＢの中心の垂直方向の位置を合わせ易いので、パター１０からの力をボールＢに伝え易い。
【００２１】
ソケット部２６は、図１に示しているように、第二ホーゼル部２４に対し傾斜している構成とすることができる。本構成により、使用者は、第二ホーゼル部２４の延伸方向とソケット部２６の軸心の延長線Ｘという角度の異なる２つの線を想定することができるから、ヘッド１２の重心ＧとボールＢの中心の位置をより合わせ易くすることができる。なお、ソケット部２６の傾斜方向は任意であるが、図示しているように、第二ホーゼル部２４の延伸方向に対して側方に傾斜させると、使用者が、自身の目線とシャフト３２及びソケット部２６の軸心とを合わせ易い。
【００２２】
図３，４は、本発明の別の実施形態のパター１０ａ，１０ｂを示している。パター１０ａ，１０ｂの基本的な構成は、パター１０と同様であるので、重複する部分の説明は省略する。図３に示すパター１０ａでは、第一ホーゼル部２２が、フェイス面１４と直交し、ヘッド１２の重心Ｇを通る線Ｙと同方向に延びる第三ホーゼル部２８を介してヘッド１２ａに連結されている。また、詳細な図示は省略するが、第三ホーゼル部２８は、フェイス面１４の反対側にねじで固定されているので、第三ホーゼル部２８のヘッド１２ａに対する取付角が可変である。本構成によれば、使用者は、任意に、ソケット部２６の方向、すなわち、シャフト３２の最適な角度を決定することができる。
【００２３】
また、図４に示すパター１０ｂのように、第一ホーゼル部２２を第三ホーゼル部２８ａに対して回動可能に嵌め、ねじ２９で締めることにより、第一ホーゼル部２２の位置が固定される構成としても、使用者は、任意に、シャフト３２の最適な角度を決定することができる。また、ソケット部２６は、図示しているように、第二ホーゼル部２４に直接取付けてもよく、第二ホーゼル部２４の延伸方向の先に位置していてもよい。
【００２４】
また、図５に示すパター１０ｃのように、第１ホーゼル部２２を傾斜させてヘッド１２に取付けた構成とすることも可能である。要は、第１ホーゼル部２２がヘッド１２の重心Ｇを通っていればよい。
【００２５】
以上説明したように、本発明によれば、打撃時に、フェイス面と直交しヘッドの重心を通る線の方向とボールの中心を一致させ易く、ボールを転がす方向を正確にコントロールすることができるヘッド及びこれを具えたパターを提供を提供することができる。
【符号の説明】
【００２６】
１０〜１０ｃ  パター
１２    パターヘッド
１４    フェイス面
１６    上辺
１８    底辺
２２    第一ホーゼル部
２４    第二ホーゼル部
２５    延出部
２６    ソケット部
２８    第三ホーゼル部
Ｂ      ゴルフボール
【図１】
2018108313.tif 000003
【図２】
2018108313.tif 000004
【図３】
2018108313.tif 000005
【図４】
2018108313.tif 000006
【図５】
2018108313.tif 000007